【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
少なくとも１つの解剖学的壁を通る２つの解剖学的区画間の流体連通のための体内接続具を備える経皮システムであって、前記体内接続具は、一方の区画から他方の区画への流体通過のためのネック部を備え、前記体内接続具は、前記ネック部を通る流体通過を組織が妨げるのを防止するための防止手段を備える、経皮システム。
【請求項２】
前記解剖学的壁を横切って前記ネック部を固定するための固定手段をさらに備える、請求項１に記載の経皮システム。
【請求項３】
前記固定手段は、前記ネック部の第１の端部から延在する拡張可能なアンカー部を備える、請求項２に記載の経皮システム。
【請求項４】
前記アンカー部は、拡張状態では、前記解剖学的壁と実質的に平行に位置する、請求項３に記載の経皮システム。
【請求項５】
前記防止手段は、前記ネック部の第２の端部から延在する拡張可能なシールド部を備える、請求項１に記載の経皮システム。
【請求項６】
前記シールドは、拡張状態では、前記解剖学的壁に実質的に接触しない、請求項５に記載の経皮システム。
【請求項７】
前記２つの解剖学的区画間の流体の流れを調整するための体内デバイスをさらに備える、請求項１に記載の経皮システム。
【請求項８】
前記流量調整デバイスは、前記体内接続具を通る流体の流れを許容または防止するためのアクチュエータを備える、請求項７に記載の経皮システム。
【請求項９】
前記流量調整デバイスがポンプを備える、請求項７に記載の経皮システム。
【請求項１０】
前記流量調整手段を前記体内接続具に固定する固定手段を備える、請求項７に記載の経皮システム。
【請求項１１】
一方または両方の前記解剖学的区画が循環系の区画である、請求項１に記載の経皮システム。
【請求項１２】
前記流体が血液である、請求項１に記載の経皮システム。
【請求項１３】
前記経皮システムが補助人工心臓である、請求項１に記載の経皮システム。
【請求項１４】
針本体と、ガイドワイヤと、穿孔形成ヘッドとを備える針を具備する経皮挿入デバイスをさらに備える、請求項１に記載の経皮システム。
【請求項１５】
前記穿孔形成ヘッドが中実の先端部を備える、請求項１４に記載の経皮システム。
【請求項１６】
前記穿孔形成ヘッドの最も広い断面の寸法が前記ガイドワイヤの遠位端の断面の寸法と実質的に同じである、請求項１４に記載の経皮システム。
【請求項１７】
前記経皮挿入デバイスが拡張器をさらに備える、請求項１４に記載の経皮システム。
【請求項１８】
前記穿孔形成ヘッドの最も広い断面の寸法が前記拡張器の遠位端の寸法と実質的に同じである、請求項１７に記載の経皮システム。
【請求項１９】
前記経皮挿入デバイスがシースを誘導するための手段を備える、請求項１４に記載の経皮システム。
【請求項２０】
少なくとも１つの解剖学的壁を通る２つの解剖学的区画間の流体連通のための体内接続具を備える経皮システムであって、前記体内接続具は、全体的にまたは部分的に形状記憶材料から作られている、経皮システム。
【請求項２１】
前記体内接続具は、一方の区画から他方の区画への流体通過のためのネック部を備え、前記体内接続具は、前記ネック部を通る流体通過を組織が妨げるのを防止するための防止手段を備える、請求項２０に記載の経皮システム。
【請求項２２】
前記体内接続具は、前記解剖学的壁を横切ってネック部を固定するための固定手段をさらに備える、請求項２０に記載の経皮システム。
【請求項２３】
少なくとも１つの解剖学的壁を通る２つの解剖学的区画間の流体連通のための体内接続具を備える経皮システムであって、前記体内接続具は、一方の区画から他方の区画への流体通過のためのネック部を備え、前記ネック部は、前記ネック部を通る流体の通過を選択的に防止または許容するためのゲート部を備える、経皮システム。
【請求項２４】
前記体内接続具は、前記解剖学的壁を横切って前記ネック部を固定するための固定手段をさらに備える、請求項２３に記載の経皮システム。
【請求項２５】
前記体内接続具は、前記ネック部を通る流体通過を組織が妨げるのを防止するための防止手段を備える、請求項２３に記載の経皮システム。
【請求項２６】
少なくとも１つの解剖学的壁を通る２つの解剖学的区画間の流体連通のための体内接続具を備える経皮システムであって、前記流体を処理するための流体処理手段を更に備える、経皮システム。
【請求項２７】
前記流体処理手段は、前記流体を１つ以上の薬剤化合物と接触させるための手段を備える、請求項２６に記載の経皮システム。
【請求項２８】
前記流体処理手段は、前記流体を酸素等の１つ以上のガスと接触させるための手段を備える、請求項２６に記載の経皮システム。
【請求項２９】
前記体内接続具は、一方の区画から他方の区画への流体通過のためのネック部を備え、前記体内接続具は、前記ネック部を通る流体通過を組織が妨げるのを防止するための防止手段を備える、請求項２６に記載の経皮システム。
【請求項３０】
前記流体処理手段は、前記流体を酸素等の１つ以上のガスと接触させるための手段を備える、請求項２９に記載の経皮システム。
【請求項３１】
前記体内接続具は、ネック部を通る流体通過を組織が妨げるのを防止するための防止手段を備える、請求項２６に記載の経皮システム。
【請求項３２】
前記流体処理手段は、前記流体を１つ以上の薬剤化合物と接触させるための手段を備える、請求項２９に記載の経皮システム。
【請求項３３】
少なくとも１つの解剖学的壁を通る２つの解剖学的区画間の流体連通のための体内接続具と、前記２つの解剖学的区画間の流体の流れを調整するための体内デバイスとを備える経皮システムであって、前記流体の流れを調整するための前記体内デバイスは、少なくとも１つの刃を支持する回転可能なシャフトを備え、前記刃が、前記シャフトの長手方向に伸長して挿入形状になるように構成されている、経皮システム。
【請求項３４】
前記刃が、前記シャフトの前記長手方向に弛緩して作業形状になるように構成されている、請求項３３に記載の経皮システム。
【請求項３５】
前記刃の寸法は、前記シャフトの横方向において、前記挿入形状における寸法よりも前記作業形状における寸法の方が大きい、請求項３４に記載の経皮システム。
【請求項３６】
前記刃がスクリュー型の刃である、請求項３３に記載の経皮システム。
【請求項３７】
前記刃が、長手方向に弾性の材料から作られている、請求項３３に記載の経皮システム。
【請求項３８】
前記体内接続具は、一方の区画から他方の区画への流体通過のためのネック部を備え、前記体内接続具は、前記ネック部を通る流体通過を組織が妨げるのを防止するための防止手段を備える、請求項３３に記載の経皮システム。
【請求項３９】
前記刃が、前記シャフトの前記長手方向に弛緩して作業形状になるように構成されている、請求項３８に記載の経皮システム。
【請求項４０】
前記刃の寸法は、前記シャフトの横方向において、前記挿入形状における寸法よりも前記作業形状における寸法の方が大きい、請求項３９に記載の経皮システム。
【請求項４１】
前記刃がスクリュー型の刃である、請求項３８に記載の経皮システム。
【請求項４２】
前記刃が、長手方向に弾性の材料から作られている、請求項３８に記載の経皮システム。
【請求項４３】
前記体内接続具は、ネック部を通る流体通過を組織が妨げるのを防止するための防止手段を備える、請求項３３に記載の経皮システム。